(57)【要約】【課題】睫毛および眉毛が可能な限り効果的に塗布されかつ分離されるように改善されたアプリケータを提供する。【解決手段】成形されたアプリケータ部材（８）を備える、睫毛、および／または、眉毛に製品を塗布するアプリケータであって、前記アプリケータ部材（８）は、長手方向軸（Ｘ）を有するコア（１０）、該コア（１０）の回りに分布され且つ各々が該コア（１０）の該長手方向軸（Ｘ）に沿って延在するところの、扁平な断面を有する複数の長手方向の歯列（５０）、を有し、該列（５０）の各々は、該コア（１０）に沿う交互の列に置かれかつ正面図においてそれらの基部（２５）で部分的に重畳されているところの継続する歯を有し、該歯は、正面図で凸状縁（２２）を有する非対称形状を有している。【選択図】図１
2019084389.tif 000002
【特許請求の範囲】
【請求項１】
成形されたアプリケータ部材（８）を備える、睫毛、および／または、眉毛に製品を塗布するアプリケータであって、前記アプリケータ部材（８）は、
‐  長手方向軸（Ｘ）を有するコア（１０）、
‐  該コア（１０）の回りに分布され且つ各々が該コア（１０）の該長手方向軸（Ｘ）に沿って延在するところの、扁平な断面を有する複数の長手方向の歯列（５０）、
を有し、
該列（５０）の各々は、該コア（１０）に沿う交互の列に置かれかつ正面図においてそれらの基部（２５）で部分的に重畳されているところの継続する歯を有し、該歯は、正面図で凸状縁（２２）を有する非対称形状を有している、
上記アプリケータ。
【請求項２】
各歯（２０）は、直線的縁（２４）または凹状縁を有している、請求項１に記載のアプリケータ。
【請求項３】
各歯（２０）は、該列（５０）の外側の方へ向けられた凸状縁（２２）を有している、請求項１または２に記載のアプリケータ。
【請求項４】
１つの列（５０）内の該歯（２０；２０ａ、２０ｂ）の高さは、該アプリケータ部材（８）の長さＬmaxの少なくとも半分に沿い、該アプリケータ部材（８）の遠位端（４２）からの距離が増加するにつれて全体的に増大する、請求項１〜３のいずれか１項に記載のアプリケータ。
【請求項５】
列（５０）の数は、４以上、より良好には６以上である、請求項１〜４のいずれか１項に記載のアプリケータ。
【請求項６】
１つの列（５０）内の歯（２０；２０ａ、２０ｂ）の数は、１０と１００の間である、請求項１〜５のいずれか１項に記載のアプリケータ。
【請求項７】
該列（５０）の各々内の該歯（２０；２０ａ、２０ｂ）は、該歯（２０；２０ａ、２０ｂ）の高さｈの少なくとも一部分Ａにわたり上方へ、且つ前記歯列（５０）の外側に置かれた縁、特に該凸状縁の方への両方で薄くなる、請求項１〜６のいずれか１項に記載のアプリケータ。
【請求項８】
該列（５０）の各々内の偶数ランクの該歯（２０ａ）は、相互に整列させられ且つ第１配列（５０ａ）を形成し、該列（５０）の各々内の奇数ランクの該歯（２０ｂ）は、相互に整列させられ且つ第２配列（５０ｂ）を形成している、請求項１〜７のいずれか１項に記載のアプリケータ。
【請求項９】
該第１配列（５０ａ）は、該第２配列（５０ｂ）と同一ではなく、特に異なる高さｈを有する同一ランクの歯（２０ａ、２０ｂ）を有し、および／または、異なる方向に向けられた歯（２０ａ、２０ｂ）を有している、請求項８に記載のアプリケータ。
【請求項１０】
該第１配列（５０ａ）は、該コア（１０）の長手方向軸（Ｘ）に平行な平面に対して、該第２配列（５０ｂ）の正面図での鏡像である、請求項８または９のいずれか１項に記載のアプリケータ。
【請求項１１】
２つの隣接する歯（２０ａ、２０ｂ）の間の高さの比ｍ／ｎは、０．６と０．９の間である、ここで、ｍは該２つの隣接する歯の内のより短い歯の高さであり、ｎはより長い歯の高さである、請求項１〜１０のいずれか１項に記載のアプリケータ。
【請求項１２】
該歯（２０；２０ａ、２０ｂ）の高さは、同一の高さの歯の塊毎に、特に２つの歯の塊毎に変わる、請求項１〜１１のいずれか１項に記載のアプリケータ。
【請求項１３】
該列（５０）は、正面図で重畳している、請求項１〜１２のいずれか１項に記載のアプリケータ。
【請求項１４】
アプリケータ部材（８）は、複数の該歯列（５０）の間のスパイク（２３）の複数の列（６０）、特に歯の少なくとも２つの連続的な列（５０）の間のスパイクの少なくとも２つの列（６０）を有している、請求項１〜１３のいずれか１項に記載のアプリケータ。
【請求項１５】
該スパイク（２３）は、該アプリケータ部材（８）が側面から見られるとき、該歯列（５０）の該歯（２０；２０ａ、２０ｂ）の間に、好ましくは、歯列（５０）と隣接するスパイク列（６０）との間の、スパイク（２３）と歯（２０；２０ａ、２０ｂ）を交互にして挿入されている、請求項１２に記載のアプリケータ。
【請求項１６】
該スパイク列（６０）は、正面図で、少なくとも部分的に、より良好には全体的に、該歯列（５０）と重畳されている、請求項１２または１３に記載のアプリケータ。
【請求項１７】
請求項１〜１６のいずれか１項に記載のアプリケータおよび塗布されるべき該製品（Ｐ）を容れる容器（３）を有している、包装並びに塗布デバイス（１００）。
【発明の詳細な説明】
【技術分野】
【０００１】
本発明は、成形されたアプリケータ部材を有する、睫毛および／または眉毛に製品を塗布するアプリケータと、そのようなアプリケータを備える包装および塗布デバイスとに関する。
【背景技術】
【０００２】
コアおよびそれと一体成形された歯を有するアプリケータ部材を有する多数のアプリケータが、既に提案されている。
【０００３】
欧州特許出願公開第１０７０４６６号明細書は、部分的または全体的に重ねられた交互の列に置かれた１列の歯を有するコームを開示している。
【０００４】
仏国特許出願（ＦＲ２９６２８８８）は、交互の列に置かれた、正面図で対称的な形状をもつ歯を有するブラッシを開示している。
【０００５】
欧州特許出願（ＥＰ１０７０４６５）は、正面図で非対称的な形状をもつ歯を有するコームを開示しており、上記歯は部分的または全体的に重ねられかつ扁平な基部を有している。
【０００６】
睫毛が可能な限り効果的に塗られかつ分離されるように使用者がメーキャップすることを可能にするために、成形されたアプリケータ部材を有しているアプリケータをさらに改善する必要がある。
【発明の概要】
【発明が解決しようとする課題】
【０００７】
また、製品ですでに被覆されているか否かにかかわらず、睫毛または眉毛にメーキャップを施すことを可能にするアプリケータから利益を得る必要がある。
【課題を解決するための手段】
【０００８】
本発明の主題は、その局面の１つによれば、成形されたアプリケータ部材を備える、睫毛、および／または、眉毛に製品を塗布するアプリケータであって、上記アプリケータ部材は、
‐  長手方向軸を有するコア、
‐  該コアの回りに分布され且つ各々は該コアの該長手方向軸に沿って延在するところの、扁平な断面を有する歯の複数の長手方向の列、
を有し、
該列の各々は、該コアに沿う交互の列に置かれかつ正面図でそれらの基部で部分的に重畳されているところの継続する歯を有し、該歯は、正面図で凸状縁を有する非対称形状を有している、上記アプリケータである。
【０００９】
アプリケータは、複数の長手方向の歯列によってブラシを構成している。
【００１０】
扁平にされ、正面図において非対称で、且つ凸状縁をもつ歯の特定の形状は、製品の保持をより良好にし、そして睫毛と歯の間に比較的大きな接触面をもつことを可能にし、このことは塗布中、睫毛に製品を適切に塗布することを可能にする。歯の各々の扁平化は、睫毛の並びの分離を促進するように、塗布または梳いている間に良く画定された睫毛の多数の塊を生成するように、そして睫毛の過度に大きな塊の形成を防ぐように、コアに対して実質的に横方向である。
【００１１】
列の歯の特定の分布、すなわち、ジグザグ状の列の分布、および正面図での歯の部分的な重なりは、歯に存在する製品と睫毛との接触の面積を増大させることを可能にする。
【００１２】
本発明は、ユーザーにより所望されるならば、塊の睫毛、および／または、眉毛で、即ち、小さな塊に集められた睫毛で、メーキャップ結果を得ることを可能にし、それにより睫毛を組織化し睫毛にボリュームを与える。
【００１３】
歯は、それがコアの長手方向軸に沿って見られるとき、コアの長手方向軸に垂直な平面への投影における正面図で見られる。
【００１４】
「コアの長手方向軸」という表現は、コアの断面の重心の全てを結ぶ線を指している。長手方向軸は、特にコアが円形断面又は正多角形の全体の形状における断面を有するとき、中心軸またはコアの対称軸でありうる。コアの長手方向軸は、直線的または曲げられていてもよく、かつコアの断面のいくつか又は全てに対する対称面でありうる平面内に含まれていてもよい。好ましくは、コアの長手方向軸は、直線的である。
【００１５】
「歯の長手方向列」という表現は、長手方向における歯の連なりを指している。好ましくは、列は全て、コアの長手方向軸に平行である夫々の長手方向軸に沿って延在している。
【００１６】
「歯」という表現は、製品を塗布するために及び睫毛を分離するために用いられる、個別的に扱いうる突出要素を指しており、本発明に従い製作される。
【００１７】
「扁平な断面」という表現は、歯は、その高さの少なくとも一部分にわたり、平坦化面内に伸ばされた形状を有する、即ちそれは厚いよりもより幅が広い、伸ばされたその方向に垂直に測られた、断面を有していることを意味すると理解されるべきである。好ましくは、歯は、コアの長手方向軸に垂直な方向に扁平にされている。
【００１８】
「ジグザグの列に置かれる」という表現は、同一の列の２つの連なる歯の基部が、アプリケータ部材が正面から見られたとき、正確には重畳されておらず、そして中心線の両側に交互にずらされていることを意味すると理解されるべきである。
【００１９】
「非対称形状を正面図で有している歯」という表現は、歯が、それが正面から見られたとき、対称軸を持たないように作られた歯を指している。そのような歯は、好ましくは異なる形状を有する左側縁および右側縁を有している。
【００２０】
「凸状縁」という表現は、それが正面から見られたとき、歯の外側の方へ丸くされた、特に楕円の、円の、または放物線の一部分の形状における曲率を有する歯の縁を指している。
【００２１】
好ましくは、歯とコアとの接合部で歯の基部での角度広がりは、コアの長手方向軸の回りの歯の全体的な角度広がりを規定する。好ましくは、歯は、正面図で歯の最大の横寸法に等しい幅を有する長方形内に、正面図において内接させられる。
【００２２】
長手方向列の数は、４以上、より良好には６以上でありうる。
【００２３】
歯列の歯の数は、好ましくは、１０と１００の間、より良好には２０と５０の間である。
【００２４】
１の列の歯の高さは、アプリケータの遠位端からの距離の増加に伴い、歯の列の少なくとも半分の長さに沿い、より良好には歯列の全長に沿い、全体として増加しうる。
【００２５】
「全体として増加する」という表現は、歯の遠位端により規定されたアプリケータ部材の包絡面の半径は、アプリケータの遠位端からの距離の増加に伴い、連続的にまたはステップ状に増加することを意味すると理解されるべきである。
【００２６】
１変形形態として、１の列の歯の高さは、アプリケータの遠位端からの距離の増加に伴い、歯列の少なくとも半分の長さに沿い、より良好には歯列の全長に沿い、全体として減少しうる。
【００２７】
複数の列の各々の各歯は、歯の高さの少なくとも一部分にわたり、より良好には歯の高さの全体にわたり、上向きに薄くなりうる。
【００２８】
複数の列の各々の各歯は、上記歯列の外側に位置する縁の方へ薄くなりうる。上記歯列の外側端部上に位置された該縁は、好ましくは凸状縁である。
【００２９】
複数の列の各々の各歯は、その高さの少なくとも半分、より良くは全高さにわたり、または場合によっては歯の基部に近いその断面における狭まりの上方でのみ、扁平な断面を有しうる。
【００３０】
凸形状縁は、歯の高さの少なくとも半分にわたり、より良好には歯の全高さにわたり、特に歯の基部から自由端まで延在しうる。
【００３１】
複数の列の各々の各歯は、好ましくは、歯列の内側に好ましくは位置する直線的縁を有している。歯は、特に直線的縁から歯列の外側に位置された縁、特に凸形状の縁へ薄くなる。
【００３２】
１変形形態として、複数の列の各々の各歯は、好ましくは歯列の内側に位置された凸状縁を有している。歯は、特に直線的縁から歯列の外側に位置する縁、特に凸状縁へ薄くなる。
【００３３】
凸状縁は、各歯の角のある縁であり得、歯を通る断面においてリッジを構成しうる。
【００３４】
凸状縁は、好ましくは歯列の外部の方へ向けられている。
【００３５】
列の隣接する歯の凸状縁は、好ましくは該列の反対側に向けられている。
【００３６】
歯は、好ましくは、歯の軸に沿って見られるとき、閉じられた輪郭を有する単一基部から伸びている。
【００３７】
好ましくは、歯は中実である。歯は、実質的に１点を指す自由端を有しうる。コアの回りの各歯の円周方向の広がりは、１８０°未満、より良好には９０°未満でありうる。
【００３８】
好ましくは、歯は、一点を形成するように遠位端で徐々に細くされる。歯の全高さの９０％で取られた、正面図での各歯の表面に対する複数の接線は、相互間で９０°以下の角度を形成しうる。歯の最大幅のその高さに対する比は、好ましくは０．５と２の間である。
【００３９】
複数の列の各々の偶数ランクの歯は、相互に整列され得、そして長手方向に第１配列を形成する。複数の列の各々の奇数ランクの歯は、相互に整列され得、そして長手方向に第２配列を形成する。
【００４０】
偶数ランクの歯は、好ましくは相互に同一である。同様に、奇数ランクの歯は、好ましくは相互に同一である。
【００４１】
該配列の各々の同じランクの歯は、異なりえて、特に異なる高さおよび／または異なる向きを有し得る。１変形形態として、配列の各々の同じランクの歯は、同一である。
【００４２】
好ましくは、正面図で、第１配列は、問題になっている歯列の長さの少なくとも半分に沿って、より良好には該歯列の全長に沿って、コアの長手方向軸に平行な平面に対する第２配列の鏡像である。
【００４３】
２つの隣接する歯の間の高さの比ｍ／ｎは、０．１と０．９の間でありうる。ここで、ｍは２つの隣接する歯のうちより短い歯の高さであり、ｎはより長い歯の高さである。第１配列内の歯は、このように第２配列内の歯よりも大きいか又は小さい。
【００４４】
１変形形態として、歯の高さは、歯の塊毎に変化する仕方において変わり得て、各固まりは、同じ高さを有する２つの歯によって特に構成される。
【００４５】
コアは、円形、多角形、特に六角形の断面を有する。配列の各々の歯は、それらの最大幅の半分を超える幅にわたり、それらの基部でコアの同一の平坦面に取り付けられうる。好ましくは、該配列の各々の歯は、それらの基部で、コアの同一の平坦面から、事実上それらの幅全体にわたり伸びている。
【００４６】
各歯列は、コアのリッジから伸び得て、第２配列内の歯は、該リッジの片側に位置された面から伸び、第１配列内の歯は、別の側に位置された面から伸びている。好ましくは、第２配列は、正面図で、コアの長手方向軸と上記リッジによって規定された平面に対して第１配列と対称である。１変形形態として、２つの配列は、正面図で対称的でない。
【００４７】
列は、正面図で、特にそれらの基部で、少なくとも部分的に重畳されうる。複数の列の各々の第１配列内の歯は、隣接する列の１つの第２配列内の歯と、正面図で、特にそれらの基部で重畳されうる。１変形形態として、複数の列の各々の第１配列内の歯は、隣接する列の１つの第２配列内の歯と、正面図で、重畳されない。
【００４８】
アプリケータ部材８は、歯列の間の複数のスパイク列を有している。各スパイクは、アプリケータ部材が側面から見られるとき、好ましくは、歯列と隣接するスパイク列との間でのスパイクおよび歯と交替で、１つの歯列の複数の歯の間に挿入されうる。スパイクの各列は、正面図において歯の少なくとも１つの列で、少なくとも部分的に、より良好には全体的に重畳されうる。
【００４９】
アプリケータ部材は、好ましくは、円周上に連なる２つの、歯列の間に、少なくとも１つの、より良好には２つのスパイク列を有している。
【００５０】
本発明の別の主題は、
‐  上述されたように本発明に従うアプリケータ、
‐  該アプリケータの助けで睫毛または眉毛に塗布されるべき製品を容れている容器、
を有している、包装および塗布デバイスである。
【００５１】
本発明の別の主題は、本発明に従うアプリケータの助けにより睫毛、および／または、眉毛をメーキャップするための方法である。
【００５２】
塗布されるべき製品は、マスカラまたはケア製品でありうる。
【００５３】
本発明は、非限定的な例示のための実施例に関する以下の詳細な記載を読み、添付された図面を検討するとより良く理解されうる。
【図面の簡単な説明】
【００５４】
【図１】本発明に従い作られた包装および塗布デバイスの一例の長手方向断面における概略図である。
【図２】本発明の１の例示的な実施例に従うアプリケータ部材の概略の斜視図である。
【図３】図２からアプリケータ部材の１の歯列だけの斜視図である。
【図４】歯の概略的な正面図である。
【図４Ａ】本発明に従う歯の実施例の概略的な正面図である。
【図５】図４におけるＶに沿って見た平面図である。
【図６】図４におけるＶＩに沿って見た側面図である。
【図７Ａ】コア上の歯の配置の実施例の平面図である。
【図７Ｂ】コア上の歯の配置の他の実施例の平面図である。
【図８】連続する歯の相対位置を示した概略的な側面図である。
【図９】図８におけるＩＸに沿って見た正面図である。
【図１０Ａ】本発明に従うアプリケータ部材の概略的な正面図である。
【図１０Ｂ】本発明に従う別のアプリケータ部材の概略的な正面図である。
【図１１】図１０ＡにおけるＸＩに沿って見た側面図である。
【図１２】本発明に従うアプリケータ部材の別の実施態様の正面図である。
【図１３】図１２におけるＸＩＩＩに沿って見た側面図である。
【図１４】別のアプリケータ部材の図１２に類似の正面図である。
【図１５】図１４におけるＸＶに沿って見た側面図である。
【図１６】別のアプリケータ部材の図１２に類似の正面図である。
【図１７】図１６におけるＸＶＩＩに沿って見た側面図である。
【発明を実施するための形態】
【００５５】
図１は、睫毛および／または眉毛へ塗布される製品Ｐを容れている容器３と、上記製品Ｐを塗布するためのアプリケータ１とを有する包装および塗布デバイス１００を示している。アプリケータ１は、本発明に従うアプリケータ部材８を有し、それは、軸体７によって、容器３を閉じるための部材をも構成するところの把持部材５へ接続されている。この閉じる部材５は、例えば図示されたように、容器の首９にねじ込まれよう設計されたキャップである。容器３は、アプリケータ１を払拭するための、容器３の首９に固定された払拭部材６を有しうる。
【００５６】
アプリケータ部材８は、本発明に従う歯により構成された塗布要素２０およびもし必要ならスパイクを支持するコア１０を有している。
【００５７】
もし必要ならば、軸体７は、貯蔵の間、該払拭部材６に過度に機械的な応力を加えないように、払拭部材６の唇部の反対に置かれているその部分で環状の狭隘部を有しうる。
【００５８】
アプリケータ部材８は、様々な仕方で軸体７に接続され得、そして例えば、図２で示されたように、そのハウジング内で固定されよう設計された末端部４を有しうる。
【００５９】
アプリケータ部材８は、軸体７の端部に設けられた対応するハウジングにおいて、何らかの手段、特に圧入、ステープル止め、スナップ締め、接着剤による接合、溶接、または圧着により軸体７に固定されうる。
【００６０】
１の変形形態として、軸体７は、コア１０内に設けられたハウジング内に挿入され得、または該軸体およびコアは、少なくとも部分的に一体として製作されうる。
コア
【００６１】
図２および３に示されたように、コアは、長手方向軸Ｘに沿う細長い形状を有し、直線的または湾曲され得、好ましくは直線的でありうる。
【００６２】
図１０Ａに示されたように、コア１０は、その長さの大部分に沿って、多角形、特に六角形の断面を有しえて、該コア１０の複数の側面は長手方向面４０を画定する。該長手方向面４０は歯２０を備えうる。該面４０は、示された例のように好ましくは平坦であるが、別の態様として湾曲していることもありうる。図示されていない１変形形態において、コア１０の該面４０の一部分のみが歯２０を保持する。
【００６３】
１の変形形態として図１０Ｂに示されたように、コア１０は、その長さの大部分に沿って円形断面を有しうる。
【００６４】
図示されたように、長手方向軸Ｘは中央に在りえ、そしてコアは５ｍｍ以下の直径を有する円の断面に内接させられうる。
【００６５】
図２および３に示されたように、コアの断面は、端部片４の方向に太くされうる。１変形形態として、コアの断面は、端部片４の方向に細くされうる。１変形形態として、コア１０は、一定の断面を有し得、特に円柱形状を有しうる。
【００６６】
コア１０は中空であり得、該コア１０の内径は好ましくは１ｍｍと２．５ｍｍの間である。
【００６７】
その遠位端４２で、コア１０は、アプリケータ１を容器３内へ戻すのを容易にするように面取りされた頭部を有しうる。
【００６８】
図１５に示された変形形態に従うと、コア１０は、端部片４のその近位端の側で円錐形状に太くされた部分４５を有している。この部分４５は、塗布要素、特に歯２０およびスパイク２３を有している。この円錐部分４５の軸寸法ｃは、１ｍｍと５ｍｍの間でありうる。円錐部分４５は、以下に記載されるように各列５０に少なくとも１つの歯２０、および以下に記載されるように各列６０に少なくとも１つのスパイク２３を備えうる。
【００６９】
円錐部分４５は、軸体７に隣接するその端部で、軸体７の外径にほぼ等しい直径を有している。
【００７０】
コア１０は、比較的剛性であるか否かにかかわらず、熱可塑性材料、例えばＳＥＢＳ、シリコーン、ラテックス、ブチル、ＥＰＤＭ、ニトリル、熱可塑性エラストマー、ポリエステルエラストマー、ポリアミドエラストマー、ポリエチレンエラストマーもしくはビニルエラストマー、ポリオレフィン、例えばＰＥもしくはＰＰ、ＰＶＣ、ＥＶＡ、ＰＳ、ＰＥＴ、ＰＯＭ、ＰＡまたはＰＭＭＡから作られうる。特に、Hytrel（商標）、Cariflex（商標）、Alixine（商標）、Santoprene（商標）またはPebax（商標）という商標で知られている材料を使用することが可能であるが、この一覧は限定的でない。
【００７１】
コア１０は、それらを一緒に成形することにより軸体７と一体に製作されうる。
【００７２】
１変形形態において、図示されていないが、コア１０は捩じられ、そのとき歯２０はコアによって作られた捩じれに従う。
歯
【００７３】
アプリケータ部材８は歯２０を備え、各々の歯は、コア１０から外部へ自由端２６の方向に延在する。
歯の形状
【００７４】
複数の図面に示されているように、歯２０の少なくとも1つの列の歯は、より良くは、図２に示されているように、歯２０の全ては、正面図で凸状縁２２を有している。上記凸状縁は、図４に示されたように、曲線の一部分、特に円または放物線の一部分、特に楕円の一部分である。
【００７５】
凸状縁２２は、図４に示されたように、歯２０の各々の高さｈの半分超にわたり、より良好には歯２０の各々の高さｈの全体にわたり、延在しうる。
【００７６】
各歯２０は、図５に示されたように凸状縁２２の方へ薄くなりうる。断面において、歯２０の対向する主面３１と３２の間に形成された頂角βは、４０°以下、より良好には１５°以下である。この薄くすることは、睫毛がアプリケータ１と接触されるやいなや、睫毛が移動することを可能にする。図４に示されたように、各歯２０は、正面から見て上方向に、その高さの少なくとも一部分Ｂ、より良好にはその高さの少なくとも半分にわたってより薄くされうる。部分Ｂは、基部２５から延在しうる。基部２５の主要寸法は、例えば０．３ｍｍと３ｍｍの間である。好ましくは、各歯の自由端２６は、図４に示されたように、正面から見て徐々に細くされ、特に、複数の睫毛の中へ入っていくことおよび睫毛を分離することを容易にするところの一点を形成する。
【００７７】
図５に示されたように、各歯２０は、その高さの一部分にわたり、より良好にはその高さの半分を超える部分にわたり、さらにより良好にはその高さの全体にわたって、扁平な断面を有している。歯２０の平坦化面Ｚは、好ましくは、コア１０にほぼ垂直に向けられている。平坦化面Ｚは、好ましくは歯２０の対称の正中面である。
【００７８】
図４および５に示されたように、各歯２０は、正面から見て、直線的な縁２４を有し、それは特に、コア１０の長手方向軸Ｘに関して半径方句であり、歯２０の高さｈの半分にわたり、好ましくは歯２０の高さ全体にわたって、延在する。
【００７９】
好ましくは、図４に示されたように、歯２０は、正面図で歯２０の最大横寸法Ｌに実質的に等しい幅を有する四角形に正面図で内接させられている。
【００８０】
好ましくは、各歯２０は、該歯の基部２５の角度の広がりと等しい角度広がりγを有している。
【００８１】
各歯２０は、好ましくは、図５に示されたように、この直線的端部を規定している平坦面２４を有している。該平坦面２４は、歯２０の凸状縁２２から離れている。好ましくは、各歯２０は、平坦面２４から凸状縁２２へと、より薄くなっている。好ましくは、凸状縁２２はリッジを規定している。
【００８２】
各歯２０は、２つの対向する主要長手方向面３１および３２を有し得、それらは平坦または曲げられ、凹状または好ましくは、図５に示されたように、外側に向けて凸状である。図５に示されたように、該面３１および３２は、好ましくは楕円の一部である。
【００８３】
図５に示されたように、該面３１および３２は、好ましくは同一形状である。示された実施例において、該面３１および３２は、平坦面２４を凸状縁２２へ接続している。
【００８４】
平坦化面Ｚ上の歯２０の最大寸法として定義された各歯２０の最大幅Ｌは、０．３ｍｍと３ｍｍの間、より良好には０．５ｍｍと１．５ｍｍの間でありうる。図４に示されたように、この最大幅Ｌは、好ましくは歯２０の基部から測られる。
【００８５】
各歯２０の高さｈは、０．５ｍｍと１ｃｍの間、より良好には１ｍｍと５ｍｍの間でありうる。各歯２０の最大厚さｌは、０．２ｍｍと１ｍｍの間、より良好には０．４ｍｍと１．５ｍｍの間でありうる。最大厚さｌは、歯２０の基部で測られうる。自由端２６での各歯２０の厚さは、０．５ｍｍ以下でありうる。
【００８６】
好ましくは、歯２０は中実である。変形形態として、歯２０は、貫通口であるなしに関わらず開口部を有しうる。
【００８７】
歯２０は、単一の基部２５から閉じられ輪郭線で延在しうる。コア上の歯の周状の広がりγは、１８０°以下、より良好には９０°以下でありうる。
【００８８】
好ましくは、図４Ａに示されたように、歯２０は、その遠位端２６で点を形成するように徐々に細くされている。好ましくは、正面図において、歯２０の高さｈの９０％に等しい高さｈ’で取られた歯２０の表面に対する接線ｔ１とｔ２は９０°以下の角度βを形成する。
【００８９】
歯２０の最大幅Ｌの、歯２０の高さｈに対する比Ｌ／ｈは、０．５と２の間であるべきである。
【００９０】
歯２０は、好ましくは、コア１０の少なくとも一部分と、より良好にはコア１０の全てと同一の材料で作られている。歯２０は、好ましくは、熱可塑性物質の成形によりコア１０と一体に作られる。
【００９１】
１変形形態として、各歯２０は、その全高さにわたり薄くなることはない。すると、各歯２０は、その高さの一部分Ａにわたって一定の幅または上方に増加する幅をもつ領域を有しうる。この部分Ａは、好ましくは歯２０の高さｈの半分未満であるところの高さを有する。
【００９２】
図７Ｂに示されたように、平坦化面Ｚは、コア１０の長手方向軸Ｘに対して、４５°と９０°の間の角度θで傾けた向きに置かれうる。
【００９３】
示されていない１の変形形態において、平坦面２４の中央軸は、該軸Ｘに対して垂直にではなく、それらに対して正面の方へ、すなわちアプリケータの遠位端の方へ、または背面の方へ傾けられて延在する。
【００９４】
歯２０およびコア１０は、別々の材料から、もし必要なら、２成分射出成形によって作られうる。歯２０は、例えばコア１０内の開口を通して成形される。歯２０は、コアよりも柔軟な材料から作られ、または１変形形態としてコアよりもより硬い材料から作られうる。
２つの連続する隣接する歯の配置
【００９５】
複数の図面に示したように、コア１０は、その表面上に、隣接する歯の対１５の少なくとも１つの列、さらに良好には図２に示されたように、隣接する歯の対１５の複数の列、例えば上述された歯２０を有しうる。
【００９６】
図８から分かるように、隣接する歯の各対１５の歯２０ａおよび２０ｂは、距離Ｄだけ軸方向にずれており、該距離は、該２つの歯２０ａおよび２０ｂの平坦化面Ｚの間の距離である。距離Ｄは、０．５ｍｍと３ｍｍの間でありうる。
【００９７】
図７Ａおよび９から分かるように、隣接する歯２０ａおよび２０ｂは、コア１０の長手方向軸Ｘの回りでずれている。２つの歯２０ａおよび２０ｂの間の角度広がりαは、好ましくは５°と６０°の間であり、この角度広がりαは、正面図において、歯２０ａとコア１０との交差の弧の中間Ｘａを通過するコア１０の半径と、歯２０ｂのコア１０との交差の弧の中間Ｘｂを通過するコア１０の半径の間の角度αによって定義される。
【００９８】
２つの隣接する歯２０ａおよび２０ｂは、図１２に示されたように同じ高さであり得、また具体的に図１０Ａに示されたように異なる高さを有してもよい。この図１０Ａは、各歯２０ａが、各隣接する歯２０ｂよりも僅かに高く、歯２０ｂは歯２０ａの前に置かれている、即ちそれはアプリケータの遠位端４２により近いことを示している。
【００９９】
図９に示されたように、歯２０ａの凸状縁２２は、正面図で右に向けられ得、一方、歯２０ｂの凸状縁２２は、左に向けられ得、またはその逆でありうる。この複数の凸状縁２２の反対の向きは、ブラシが、同じ効果を生みだしながら、どちらの方向にも使われることを可能にする。
【０１００】
隣接する歯２０ａおよび２０ｂは、少なくとも部分的に、特にそれらの基部２５で、および２つの歯２０ａおよび２０ｂの高さｈの少なくとも一部分に亘り、より良好には、図９で分かるように、歯２０ａまたは２０ｂの少なくとも１つの全高さにわたり、重畳されうる。２つの歯２０ａおよび２０ｂの間の角度間隔αは、歯２０ａおよび２０ｂの各々によって取られた角度拡がりγ未満であり、これら角度拡がりは、その基部で歯によって取られた角度によって定義される。図９に示されたように、正面図で、長手方向軸Ｘの回りの２つの歯２０ａと２０ｂの間の重畳Ｓabの領域によって取られた角度、即ちγ―αとして定義された重なりの角度φは、５°以下でありうる。
【０１０１】
図１０Ａ、１０Ｂ、および１１に示されたように、各歯２０ａは、各隣接する歯２０ｂよりも大きくあり得、またその反対もありうる。高さの比ｍ／ｎは、好ましくは０．１と０．９の間である。ここで、ｍは小さな歯の高さであり、ｎは大きな歯の高さである。
【０１０２】
図９および１２で示されたように、歯２０ａおよび２０ｂは同じ高さでもよく、第１歯２０ａは、好ましくは正面図で、コア１０の長手方向軸Ｘに平行な対称面Ｍに対して第２歯２０ｂの鏡像である。
歯の列
【０１０３】
複数の図面で示されたように、アプリケータ部材８は、歯の対１５の少なくとも１つの列５０、より良好には歯の対１５の複数の列５０を有しうる。ここで、該歯の対１５は、上述された歯２０ａおよび２０ｂを有している。列５０は、好ましくはコア１０の長手方向軸Ｘに沿って延在している。
【０１０４】
アプリケータ部材８は、コア１０の長手方向軸Ｘの回りに置かれた、歯の対１５の少なくとも２つの列５０、より良好には少なくとも４列５０、一層良好には少なくとも６列５０を有しうる。
【０１０５】
アプリケータ部材８の全ての列５０は、好ましくは同一である。
【０１０６】
各列５０の歯は、隣接する列５０における同一ランク（rank）の歯として、好ましくは長手方向軸Ｘに沿う同じ横座標を有している。これにより同一ランクの歯は、アプリケータ部材が側面から見られるとき、整列されて見える。
【０１０７】
列５０は、好ましくはコア１０の長手方向軸Ｘの周りに規則的に間隔を空けられている。
【０１０８】
図１０Ａおよび１０Ｂに示されたように、コア１０の長手方向軸Ｘの周りの２つの連続した列５０の間の角度間隔ωは、好ましくは一定であり、該角度間隔ωは、正面図で、上記複数の列の各重心を通るコア１０の複数の半径の間の角度により定義される。該角度間隔ωは、好ましくは１５°と９５°の間、より良好には４５°と７５°の間であり、さらに良好には６０°に等しい。
【０１０９】
そのような複数の列５０は、夫々の歯２０ａおよび２０ｂの２つの異なる配列５０ａおよび５０ｂの存在の故に「二重列」と呼ばれうる。該歯２０ａおよび２０ｂは夫々、アプリケータ部材８が長手方向軸Ｘに沿い正面から見られるとき、相互に整列される。
【０１１０】
図１３に示されるように、列５０の歯の２つの連続する対１５の間の軸方向距離ｑは、好ましくは一定でありかつ０．８ｍｍと４ｍｍの間である。該軸方向距離ｑは、側面図で歯２０ａの配列５０ａ内で第１歯２０ａの複数の平坦化面Ｚの間の距離によって定義される。
【０１１１】
図１０Ａに示されたように、コアが六角形の断面を有するとき、アプリケータ部材８は、好ましくは６つの二重列５０を有し、各二重列５０は、コア１０のリッジに沿い置かれたその長手方向軸を有している。該歯２０ａは、上記リッジに取り付けられた、コア１０の平らな面４０の１つの上のそれらの基部２５のほとんど全てにわたり延在する。該歯２０ａは、上記リッジに取り付けられている、別の平らな面４０の上に、それらの基部２５のほとんど全てにわたり延在する。
【０１１２】
歯２０の自由端２６により定義されたアプリケータ部材８の包絡面Ｓは、回転面、特に円錐面でありうる。
【０１１３】
該包絡面Ｓの半径ｒＳは、好ましくは、列５０のほぼ全長ｑmaxに沿って端部片４の方向に実質的に増加している。
【０１１４】
好ましくは、図１３に示されたように、各配列５０ａおよび５０ｂは、小さな歯（大きな歯よりも高さが低い）と交互に置かれる大きな歯を有している。各配列５０ａおよび５０ｂの偶数ランクの歯は、例えば奇数ランクの歯よりも小さい、またはその逆である。高さの比ｍ／ｎは、好ましくは０．６と０．９の間であり、ｍは小さな歯の高さ、ｎは大きな歯の高さである。
【０１１５】
第１配列５０ａ内の奇数ランクの各歯は、好ましくは第２配列５０ｂ内の偶数ランクの隣接する歯と同じ高さｈである。第１配列５０ａ内の偶数ランクの各歯は、好ましくは第２配列５０ｂ内の奇数ランクの隣接する歯と同じ高さｈである。歯２０ａおよび２０ｂは、このように二重列５０内の隣接する歯の各対について同一サイズである。
【０１１６】
好ましくは、各二重列５０について、第１配列５０ａは、図１０Ａおよび９に示されたように、特にその基部で、隣接する二重列５０の第２配列５０ｂと重畳される。この重畳が、小さな角度広がりのみを持つことが可能である。正面図で長手方向軸Ｘに対して、２つの配列５０ａおよび５０ｂの２つの歯２０ａおよび２０ｂの間の重畳の領域Ｓａｂによって取られた角度として定義された重なりの角度φは、４５°以下でありうる。
【０１１７】
１変形形態として、正面図で、隣接する列５０内の歯は重畳されていない。
【０１１８】
アプリケータ部材８の長手方向軸Ｘの回りの、２つの引き続く列５０の間の角度間隔ωはまた、図示されていない変形形態において、コア１０の回りで変化する。
【０１１９】
図１１に示されたように、歯の対１５は、列５０のほぼ全長ｑmaxに沿いコアの長手方向軸に沿って互に関して増加する高さを有しうる。各配列５０ａおよび５０ｂ内の歯２０ａおよび２０ｂは、アプリケータ部材８の遠位端４２からの距離が増すにつれて増加する高さｈを有しえて、第１配列５０ａ内の歯２０ａは、同一ランクの第２配列５０ｂ内の歯２０ｂよりも小さい、またはその逆である。
【０１２０】
１つの列５０内の２つの隣接する歯２０ａおよび２０ｂの間の距離Ｄは、列５０の長さｑmaxの少なくとも半分に沿って変化しうる。
【０１２１】
アプリケータ部材８の列５０は、お互に異なりうる。２つの隣接する列５０内の歯２０ａおよび２０ｂの形状は、特に対応する歯２０ａおよび２０ｂの高さによって、実質的に変わりうる。１つの列５０内の歯は、隣接する列５０の１つの同一ランクの歯よりも全て大きくありうる。
【０１２２】
１変形形態として、隣接する列５０の同一ランクの歯２０ａおよび２０ｂは、アプリケータ部材８がコアの長手方向軸に垂直に見られるとき、長手方向軸Ｘの周りに整列されていない。隣接する列５０の同一ランクの歯２０ａおよび２０ｂは、長手方向軸Ｘに沿ってずらされうる。
【０１２３】
１変形形態として、歯は、同じ高さの隣接する歯の塊（バッチ）を形成しうる。歯の隣接する塊の高さは、長手方向軸Ｘに沿って交替する。塊は各々少なくとも３つの歯から形成されうる。
スパイク
【０１２４】
図１５〜１８に示されたように、アプリケータ部材は、歯の列５０に加えて、スパイクの少なくとも１つの列６０、より良好にはスパイクの複数の列６０を有しうる。
スパイク
【０１２５】
複数の列６０の各々のスパイク２３の各々は、コア１０に対して半径方向に延在する。
【０１２６】
スパイク２３は、好ましくは円形断面を有するが、何らかの別の断面、特に多角形の断面を有してもよい。
【０１２７】
スパイク２３は、図１５に示されたように例えば円錐形状を有して、その自由端の方へ徐々に細くなっている。
【０１２８】
スパイク２３の断面は、全て０．８ｍｍ以下の、より良好には０．６５ｍｍ以下の直径を有する円に内接させられうる。スパイク２３の基部は、歯の最大幅未満の幅でありうる。
【０１２９】
スパイク２３の高さは、例えば０．５ｍｍと４ｍｍの間である。
【０１３０】
スパイク２３は、好ましくは、熱可塑性材料の成形によりコア１０と同一材料で一体に製作される。
【０１３１】
スパイク２３およびコア１０はまた、１変形形態として、異なる材料から、もし必要なら２成分射出成形によって作られうる。スパイク２３は、例えばコア１０内の開口を通して成形される。スパイク２３は、コアよりもより柔らかい、または１変形形態としてコアよりもより硬い材料から製作されうる。スパイクは、歯２０よりも柔らかい、または１変形形態として歯２０よりもより硬い材料から製作されうる。
スパイクの列
【０１３２】
アプリケータ部材８は、図１５〜１８に示されたように、スパイクの少なくとも２つの列６０、より良好には６つの列６０、更に良好には１２列６０を有している。
【０１３３】
隣接するスパイクの列６０は、好ましくはコア１０上で相互に等距離である。
【０１３４】
列６０内のスパイク２３の数は、１０〜１００の間である。
【０１３５】
複数の列６０の各々において、アプリケータ部材８が長手方向軸Ｘに沿って見られるとき、スパイク２３は、好ましく整列される。
【０１３６】
各列６０内の隣接するスパイク２３は、好ましくは全て、列６０内で同一の間隔ｆで間隔を取られ、該間隔ｆは、好ましくは０．５ｍｍと２ｍｍの間である。
【０１３７】
該複数の列６０の各々内のスパイク２３は、アプリケータ部材８が側面から見られるとき、隣接する列内の同じランクのスパイク２３と整列されうる。スパイクの複数の列６０は、同じ数の、スパイク２３を有し得て、好ましくは同一である。
【０１３８】
図示されたように、スパイクの各列６０は、好ましくは歯の少なくとも２つの連続する列５０の間に置かれ、スパイク２３は、歯２０に対して軸方向にずらされている。
【０１３９】
好ましくは、スパイクの列６０の各々は、これが間に置かれたところの２つの列５０から等距離ではない。
【０１４０】
図１４および１６に示されたように、歯の列５０の長手方向軸と、スパイクの連続する列６０の長手方向軸との間の角度間隔εは、５°と６０°の間でありうる。
【０１４１】
好ましくは、各列６０内のスパイク２３は、各列５０内の歯２０と長手方向に交互に置かれる。
【０１４２】
複数の列６０の各々のスパイク２３は、同一の列５０内の２つの連続する歯２０から等距離でありうる、又は等距離でなくてもよい。
【０１４３】
アプリケータ部材８が、側面から見られるとき、列６０の各々内のスパイク２３は全て、図１５および１７に示されたように、コア１０上にスパイクに先行して置かれるところの歯２０から同じ距離ｋで長手方向に置かれ、この距離ｋは、好ましくは０．１ｍｍと１ｍｍの間である。
【０１４４】
各列６０内のスパイク２３の高さは、アプリケータ部材８の端部片４から遠位端へ、列６０の長さの少なくとも半分に沿って、より良好には列６０の全長に沿って、増加しうる。
【０１４５】
図１４〜１６に示されたように、列６０内の最大のスパイク２３の高さは、隣接する列５０内の最大歯２０の高さと同じでありうる。
【０１４６】
図１４〜１７に示されたように、２つの隣接する列５０は、２つの列６０の側面に位置する。
【０１４７】
好ましくは、列６０の各々内のスパイク２３は、正面図で、隣接する列５０の１つの歯２０の上に、図１４に示されたように少なくとも部分的に、または図１５に示されたように全面的に重畳されている。
【０１４８】
２つの列６０の間の角度間隔は、好ましくは１０°と９０°の間、より良好には２５°と６５°の間、一層良好には３０°である。
【０１４９】
本発明は、これまで述べられた説明のための実施態様に限定されるものではなく、その特性は、図示されていない変形形態の部分として相互に組合せられうる。
【０１５０】
アプリケータ部材８は、振動可能でありうる、すなわち、振動が、製品を塗布、梳くまたは製品を取り出す間、アプリケータ部材８に与えられうる。
【０１５１】
１変形形態として、アプリケータ部材は、回転可能でありうる、すなわち、例えば、製品を塗布、睫毛を梳く、または取り出す間、コアの長手方向軸の回りの回転運動を実行するように作られうる。
【０１５２】
別の変形形態として、アプリケータ部材は加熱される、すなわち、それは、睫毛および／または眉毛、および／または、アプリケータ部材の歯および／またはコアを加熱するための加熱要素を有しうる。
【０１５３】
アプリケータ部材はまた、振動が可能でありえ、および／または回転が可能でありえ、および／または加熱されうる。
【０１５４】
表現「１の〜を有する」は、「少なくとも１つの〜を有する」と同義であると理解されるべきであり、「の間の」は特に反対のことを言わない限り、境界を包含するように理解される。
【符号の説明】
【０１５５】
１        アプリケータ
３        容器
４        末端部、端部片
５        把持部材、閉じ部材
６        払拭部材
７        軸体
８        アプリケータ部材
９        容器の首
１０        コア
２０、２０ａ、２０ｂ        歯、塗布要素
２２        凸状縁
２３        スパイク
２４        直線的縁
２５        基部
４０        コアの長手方向面
４２        遠位端（アプリケータ部材の）
５０、５０ａ、５０ｂ        歯の列
６０        列（スパイクの）
１００        塗布デバイス
【図１】
2019084389.tif 000003
【図２】
2019084389.tif 000004
【図３】
2019084389.tif 000005
【図４】
2019084389.tif 000006
【図４Ａ】
2019084389.tif 000007
【図５】
2019084389.tif 000008
【図６】
2019084389.tif 000009
【図７Ａ】
2019084389.tif 000010
【図７Ｂ】
2019084389.tif 000011
【図８】
2019084389.tif 000012
【図９】
2019084389.tif 000013
【図１０Ａ】
2019084389.tif 000014
【図１０Ｂ】
2019084389.tif 000015
【図１１】
2019084389.tif 000016
【図１２】
2019084389.tif 000017
【図１３】
2019084389.tif 000018
【図１４】
2019084389.tif 000019
【図１５】
2019084389.tif 000020
【図１６】
2019084389.tif 000021
【図１７】
2019084389.tif 000022